(57)【要約】      （修正有）【課題】１つの種類でサイズ分けされた１つの区分内であらゆるサイズのバストに対応して十分なバストライン補整効果とフィット感を満足させるブラジャー。【解決手段】バスト収納用のフロント部３と、両脇及び両肩にてフロント部３に接続され、背中を覆う背面部４と、バストの下部を通り、フロント部３と背面部４の裾に接続されて胴部全周を取り囲むアンダーバスト形成テープ７と、フロント下縁３ｃに重なる状態でその下縁８ｃがアンダーバスト形成テープ７に、側縁８ｂが背面部４の側縁４ｂにそれぞれ縫着された吊り寄せパネル８と、吊り寄せパネル８に縫着された吊り上げテープ９と、下縁１０ｃがフロントアンダーバスト形成テープ７に、側縁１０ｂが背面部４の側縁４ｂにそれぞれ接続された持ち上げパネル１０とで形成される。【選択図】図１
2011032610.tif 000002
【特許請求の範囲】
【請求項１】
（１ａ）  バスト収納用のフロント部と、
（１ｂ）  両脇及び両肩にて前記フロント部に接続され、背中を覆う背面部と、
（１ｃ）  バストの下部を通り、前記フロント部と前記背面部に接続されて胴部全周を取り囲むアンダーバスト形成テープと、
（１ｄ）  二重使いで、折り返し縁がフロント部の肩部分からバストの外側がわを通り、バストの直下にて前記フロント部のフロント下縁に至り、前記フロント下縁に重なる状態でその下縁が前記アンダーバスト形成テープに、その側縁が背面部の側縁にそれぞれ取着された吊り寄せパネルと、
（１ｅ）  前記吊り寄せパネルの肩部分からバストの外側を通り、前記吊り寄せパネルの下縁に至り、前記吊り寄せパネルに縫着された吊り上げテープと、
（１ｆ）  二重使いで、折り返し縁が前記吊り寄せパネルの脇刳りからバストの外側下部を通り、前記フロント部のフロント下縁中央に至り、その下縁がフロント下縁に重なる状態で前記アンダーバスト形成テープに、その側縁が背面部の側縁にそれぞれ接続された持ち上げパネルとで形成されたことを特徴とするブラジャー。
【請求項２】
前記フロント部はバスト収納用に立体裁断され、且つ、その中央から左右に分割されて分割部分の内面側にカップ収容用のポケットが形成されていることを特徴とする請求項１に記載のブラジャー。
【請求項３】
前記フロント部のポケットを形成する布部は吸湿性布で形成され、その余及びテープは弾性布で形成されていることを特徴とする請求項１または２に記載のブラジャー。
【請求項４】
前記背面部の内側にて背面部の裾が接続されていない吸湿性布で形成された背面内側パネルが更に設けられていることを特徴とする請求項１〜３のいずれかに記載のブラジャー。
【請求項５】
請求項１〜４のいずれかに記載のブラジャーに、前記アンダーバスト形成テープに接続され、且つ、吸湿性布で形成された腹部を覆う腹部被覆用パネルが更に設けられ、前記背面部又は前記背面内側パネルが腰部を覆う長さに形成されていて、前記腹部被覆用パネルと前記背面部又は前記背面内側パネルの側縁が接続されていることを特徴とするブラジャー付き下着。
【請求項６】
請求項１〜４のいずれかに記載のブラジャー又は請求項５に記載のブラジャー付き下着がアウター内に配設され、肩部で両者が接続されていることを特徴とするブラジャー付きアウター
【発明の詳細な説明】
【技術分野】
【０００１】
本発明は、従来のカップを用いたブラジャーに代わる体にソフトで新規なブラジャー及び該ブラジャーを利用した下着並びにこれをインナーとして用いたアウターに関する。
【背景技術】
【０００２】
近年、日常生活のカジュアル化に伴い、出来る限り体に負担をかけないような着衣、例えばＴシャツやタンクトップ或いはセーターのようなものを着用したいというのが需要者の嗜好傾向となって来ており、カップ部と前側土台部との上下・左右方向の自由度を大きくして疲れない楽な着用感が得られるブラジャー（特許文献１）などの提供もある事ながら、前記嗜好傾向に伴って体に密着し且つ胸を締め付けるような従来のカップ式のブラジャーのようなものは敬遠される傾向にある。
【０００３】
しかも従来のカップ式のブラジャーの場合、供給者サイドからはコストの面からカップサイズを細かくすることが出来ずＬＬ、Ｌ、Ｍ、Ｓという程度の区分で、左右対象のものしか供給出来なかった。これに対して着用者側のバストサイズは千差万別、しかも同じ人でも左右のバストサイズが異なるということも通常みられるものであり、単なるＬＬ、Ｌ、Ｍ、Ｓという程度の区分で且つ左右対称のカップでは、カップ自体の形状は好ましいもののフィット感がなくて使用者の着用感を満足させる事が出来ず、これもブラジャー敬遠の一因となっていた。
【０００４】
とは言うものの、冬場の厚手のセーターの場合は兎も角、春から秋にかけての季節、特に夏場の場合のようにアウターが薄手になると、その分、体のラインが明瞭に出るため、バストのたれ下がりやバストの脇方向への流れを防止し、バストを形よく整えてバストアップやバストの広がり防止等のバスト造形機能によるシルエットの美観向上のためにブラジャーの着用は避けることができないし、従来のカップ式のブラジャーを避けてこれ以外のものをつけた場合にそれがアウターのラインに現れても困るという気持ちもある。
【０００５】
また、睡眠中、ブラジャーをつけない場合、バストが両脇に流れ易くなってバストラインを損なう心配から睡眠中にもブラジャーを付けていたいという要望があるが、従来のカップ式のブラジャーでは上述のように体に密着し且つ胸を締め付けるため睡眠が阻害されるおそれがあって睡眠中の装着がなされていないのが現状で、従来のカップ式のブラジャーではこの要望に応えきれていないという問題がある。
【先行技術文献】
【特許文献】
【０００６】
【特許文献１】特開２００９−５７６４２号公報
【発明の開示】
【発明が解決しようとする課題】
【０００７】
本発明は、このような供給者側と需要者側とのミスマッチを解消する、換言すれば、ＬＬ、Ｌ、Ｍ、Ｓという程度の区分けの中で、各区分において１つの種類ですべてのバストに対応可能で優れたバストライン補整効果と着用感を実現するブラジャーや下着の開発をその目的の第１とするものであり、付随的には該ブラジャーを利用した下着やこれをインナーとして用いたアウターの開発を第２の目的とするものである。
【課題を解決するための手段】
【０００８】
請求項１に記載された本発明のブラジャー(2)は、
（１ａ）  バスト収納用のフロント部(3)と、
（１ｂ）  両脇及び両肩にてフロント部(3)に接続され、背中を覆う背面部(4)と、
（１ｃ）  バストの直下を通り、フロント部(3)と背面部(4)に接続されて胴部全周を取り囲むアンダーバスト形成テープ(7)と、
（１ｄ）  二重使いで、折り返し縁(8e)がフロント部(3)の肩部分からバストの外側を通り、バストの下方にてフロント部(3)のフロント下縁(3c)に至り、フロント下縁(3c)に重なる状態でその下縁(8c)がアンダーバスト形成テープ(7)に、その側縁(8b)が背面部(4)の側縁(4b)にそれぞれ接続された吊り寄せパネル(8)と、
（１ｅ）  吊り寄せパネル(8)の肩部分からバストの外側を通り、吊り寄せパネル(8)の下縁(8c)に至り、吊り寄せパネル(8)に取着された吊り上げテープ(9)と、
（１ｆ）  二重使いで、折り返し縁(10e)が吊り寄せパネル(8)の脇刳り(8d)からバストの外側下部を通り、フロント部(3)のフロント下縁中央(3f)に至り、その下縁(10c)がフロント下縁(3c)に重なる状態でアンダーバスト形成テープ(7)に、その側縁(10b)が背面部(4)の側縁(4b)にそれぞれ接続された持ち上げパネル(10)とで形成されたことを特徴とする。
【０００９】
請求項２はその従属項で、フロント部(3)はバスト収納のために立体裁断され、且つ、その中央から左右に分割されて分割部分の内面側にカップ収容用のポケット(3p)が形成されていることを特徴とする。
【００１０】
請求項３は請求項１または２の従属項で、フロント部(3)のポケット(3p)を形成する布部(3n)は吸湿性布で形成され、その余及びテープは弾性布で形成されていることを特徴とする。
【００１１】
請求項４は請求項１〜３の従属項で、背面部(4)の内側にて背面部(4)の裾が接続されていない吸湿性布で形成された背面内側パネル(11)が更に設けられていることを特徴とする。
【００１２】
請求項５は、請求項１〜４のいずれかに記載のブラジャーを使用した下着で、アンダーバスト形成テープ(7)に接続され、且つ、吸湿性布で形成された腹部を覆う腹部被覆用パネル(12)が更に設けられ、背面部(4)又は背面内側パネル(11)は腰部を覆う長さに形成されていて、腹部被覆用パネル(12)と背面部(4)又は背面内側パネル(11)の側縁(12b)(11b)又は(12b)(4b)が接続されていることを特徴とする。
【００１３】
請求項６は請求項１〜４のいずれかに記載のブラジャー又は請求項５に記載のブラジャー付き下着がアウター内に配設されたブラジャー付きアウターで、肩部で両者が接続されていることを特徴とする。
【発明の効果】
【００１４】
本発明のブラジャー(2)によれば、吊り寄せパネル(8)の折り返し縁(8e)がフロント部(3)の肩部分からバストの外側を通り、バストの下方にてフロント部(3)のフロント下縁(3c)に至るように設けられ、更にこの吊り寄せパネル(8)に、吊り寄せパネル(8)の肩部分からバストの外側を通り、吊り寄せパネル(8)の下縁(8c)に至るように吊り上げテープ(9)が取り付けられ、且つ、持ち上げパネル(10)が吊り寄せパネル(8)の脇刳り(8d)からバストの外側下部を通り、フロント部(3)のフロント下縁中央(3f)に至るように取り付けられているので、着用時に肩紐(20)によって軽く吊り上げられた吊り寄せパネル(8)及び吊り上げテープ(9)により、着用者の脇の贅肉及びバストの外側部分を軽く締め付けると共に吊り上げつつ中心方向に向けて軽く寄せつけ、これに加えて、持ち上げパネル(10)は着用者の脇からバスト下方中央に至るバストの下方外側から垂れ下がりがちなバストを軽く持ち上げて、これに自然な丸みを演出する。
【００１５】
しかも、吊り寄せパネル(8)と持ち上げパネル(10)のバストに沿う縁は折り返し縁(8e)であるから、段差を生じることなくバストの外側に沿って丸みを演出することになり、アウター(1)に現れてこない。
【００１６】
そして、アンダーバスト形成テープ(7)は、バストの直下において胴回り全周を軽く締め付けることになるので、着用者がどのように動いたとしてもバストの下部が前身側のアンダーバスト形成テープ(7a)からはみ出ることがなく、自然な丸みを保った状態を維持させることができる。
【００１７】
また、このブラジャー(2)のフロント部(3)を立体裁断された吸湿性布で構成するようにしておけば、フロント部(3)はバストを締め付けることなく且つバストサイズに関係なく自然な丸みに成形するし、フロント部(3)にポケット(3p)を設けておけば、装着するにあたって、着用者は自分のバストに適合したカップ(30)をポケット(3p)に挿入して着用することが出来、フィット感を損なわない。
【００１８】
このようなブラジャー(2)に腹部被覆用パネル(12)と、腰部を覆う長さの背面内側パネル(11)又は背面部(4)とを設けると、ブラジャー(2)付きの下着として使用することができるし、前記ブラジャー(2)や下着(2)をアウター(1)内に配設し、肩部で両者を接続するとブラジャー付きアウターとして使用することができる。
【発明の実施の形態】
【００１９】
以下、本発明を添付図１〜５に基づいて説明する。本発明に係るブラジャー(2)又はブラジャー付き下着(2)は、薄くて柔らかい生地から形成されたアウター(1)、例えばＴシャツやタンクトップを始めとするトップスと呼ばれるようなもの、セーター或いはパジャマなどの内側に重ねて着るもので、そのアウター(1)の内面のバストから背中更には腹部の位置に当たる所に重ね着される。アウター(1)とは独立して着用する、換言すれば、両者を接続しないことによりアウター(1)を好みに合わせて取り替えることもできるが、アウター(1)に取り付け、重ね着として使用する場合、その取り付けは肩紐(20)のところで縫着、ホック、面ファスナーその他適宜な方法で取り付けられ、その他の部分では互いに独立した状態とする。
【００２０】
ブラジャー(2)は、基本的には図５に示す胸全体を覆うフロント部(3)、背中を覆う背面部(4)、胴部全周を取り囲むアンダーバスト形成テープ(7)、吊り寄せパネル(8)、吊り上げテープ(9)及び持ち上げパネル(10)とで構成され、付加的にはフロント部(3)の内面側に形成されるカップ収容用のポケット(3p)、背面内側パネル(11)及び腹部被覆用パネル(12)が設けられる。背面内側パネル(11)及び腹部被覆用パネル(12)のないものが基本でこれを第１実施例とし、背面部(4)とほぼ同じ形状の丈の短い且つ吸湿性布で形成された背面内側パネル(11イ)が背面部(4)の内側に設けられているものを第１実施例の変形例とし、腹部被覆用パネル(12)に対応して背面内側パネル(11)が腰部まである丈の長いもの及び腹部被覆用パネル(12)のあるもの、又は背面内側パネル(11)はないが背面部(4)の丈が腰部まである長いものをブラジャー付き下着とし、これを第２実施例として説明する。また、各ピースはその機能を損なわない接続或いは取着方法、例えば千鳥縫いなどで縫着されているが、これに限られずその機能を損なわない限り、例えば接着その他適宜な方法で接続することも可能である。
【００２１】
バスト収納用のフロント部(3)を構成する各ピースは、例えば綿を素材とした吸湿性布を用い、（勿論、吸湿性より軽量化を求める場合は、ピース全体にパワーネットを素材とする弾性布を使用することになる。）バスト収納用の略４角形の前布(31)、前布(31)の両脇に膨らみを持たせるように縫着された、即ち立体裁断された左右１対の前側脇布(32)、前布(31)とほぼ同じ形状に裁断され、前布(31)の内側に重ねてその上縁(33a)と下縁(33c)及びその中央が上縁(33a)から下縁(33c)にかけて縫着され、その両側縁(33b)が前布(31)に対して開放しているポケット布(33)及びポケット布(33)の両側縁(33b)に内側（または外側）から重ね合わせてポケット口(15)を構成し、その上縁(34a)及び下縁(34c)がポケット布(33)と重ねて前布(31)と前側脇布(32)の上縁(31a)(32a)及び下縁(31c)(32c)に縫着されるポケット脇布(34)、及びポケット脇布(34)の外側側縁(34b)に縫着され、その上縁(35a)のポケット脇布(34)側の部分から肩方向にて上側に伸び、背面部(4)の肩紐後部(45k)に縫着された肩紐前部(35k)を有し、フロント部(3)の側縁(3b)でもあるその外側側縁(35b)が背面部(4)の側縁(4b)に縫着された内側脇布(35)とで構成されている。
【００２２】
背面部(4)は背中全体を覆うための丈の短いピースで、例えばパワーネットを素材とする全体が弾性布で構成され、上縁中央に大きく襟刳り(4e)が取られ、両側縁の上部には袖刳り(4f)が取られており、襟刳り(4e)と袖刳り(4f)との間には肩方向上側に伸び、前述の肩紐前部(35k)と縫着されて肩紐(20)を形成する肩紐後部(45k)が設けられており、袖刳り(4f)から下縁(4c)にかけての下側の側縁(4b)がフロント部(3)の側縁(3b)に縫着されている。なお、第２実施例の背面部(4)はブラジャー付き下着(2)に用いられるので、後述する背面内側パネル(11)のように背中から腰部までを覆う丈の長いものとなる。丈の短いものと区別する必要がある場合、これを丈の長い背面部(4)という。
【００２３】
アンダーバスト形成テープ(7)は幅広で長手方向に強い伸縮性を有する例えば弾性テープで、前身側のアンダーバスト形成テープ(7a)では後述する持ち上げパネル(10)の下縁(10c)に沿ってその上側から長手方向の伸縮性を損なわないように千鳥縫いされている。持ち上げパネル(10)の下縁(10c)の下には、これも含めてフロント部(3)の下縁(3c)を構成する前布(31)の下縁(31c)、前側脇布(32)の下縁(32c)、ポケット布(33)の下縁(33c)、ポケット脇布(34)の下縁(34c)、内側脇布(35)の下縁(35c)が重ね合わされてアンダーバスト形成テープ(7a)に千鳥縫いされている。従って、この部分は重ね枚数が多いので肉厚になる。
【００２４】
後身側のアンダーバスト形成テープ(7b)ではこの実施例１（即ち、丈の短い背面部(4)）では、背面部(4)の下縁(4c)である裾に沿って同様に千鳥縫いされ、その端部同士も縫着されて着衣時に着衣者のバスト直下にて胴回りを軽く締め付けるようになっている。本実施例１は勿論、同２の場合も同様であるが、バージスラインをきれいに出すために、前身側のアンダーバスト形成テープ(7a)には内部に１乃至複数本のゴム糸（本実施例では太い平ゴム）を組み込んでも良い。第２実施例の丈の長い背面部(4)の場合は、前身側アンダーバスト形成テープ(7a)と同じ高さで腰部に縫着される。
【００２５】
吊り寄せパネル(8)も、例えばパワーネットを素材とする全体が弾性布で構成され、二重使いで、折り返し縁(8e)がフロント部(3)の前面側において、フロント部(3)の肩部分からバストの外側を通り、バストの下方にてフロント部(3)のフロント下縁(3c)に至り、フロント下縁(3c)に重なる状態でその下縁(8c)がアンダーバスト形成テープ(7)に、その側縁(8b)が背面部(4)の側縁(4b)にそれぞれ縫着されている。したがって、吊り寄せパネル(8)の折り返し縁(8e)はほぼ全長にわたって折り返されたフリーの状態となっている。
【００２６】
吊り上げテープ(9)も例えば長手方向に伸縮するテープで、フロント部(3)の肩部分からバストの外側を通り、腰部前面のフロント下縁(3c)に至り、吊り寄せパネル(8)の前面に千鳥縫いにて取り付けられる。前記吊り上げテープ(9)の縫着位置は、着用時には体の比較的凹んでいる鎖骨部分からバストの外側を通ることになるのでアウター(1)に現れることがない。また、その作用としては着用者の脇からバスト外側を線状にて軽く接触・押圧しつつ吊り寄せパネル(8)と協働してその部分の贅肉を寄せながらこれを引き上げる。
【００２７】
持ち上げパネル(10)も例えばパワーネットを素材とする全体が弾性布で構成され、二重使いで、折り返し縁(10e)が吊り寄せパネル(8)の脇刳り(8d)からバストの外側下部を通り、フロント部(3)のフロント下縁中央(3f)に至り、その下縁(10c)がフロント下縁(3c)に重なる状態でアンダーバスト形成テープ(7)に、その側縁(10b)が背面部(4)の側縁(4b)にそれぞれ縫着されている。この場合も折り返し縁(8e)はほぼ全長にわたってフリーとなっている。
【００２８】
このブラジャー(2)を装着するにあたって、着用者は必要があれば自分のバストに適合したカップ(30)をポケット(3p)に挿入し、その状態で着用する。フロント部(3)は立体裁断された膨らみを持つ吸湿性布で構成されているので、カップ(30)がなくともバストを締め付けることなく自然な丸みに成形されるし、カップ(30)があればそのカップ(30)に合わせた感じでフィット感を損なうことなく自然な丸みに成形されることになる。勿論、立体裁断された膨らみを持つ弾性布でも同様の自然な丸みの形成状態は殆ど変わらないが、軽量である代わりに吸湿性が損なわれる。
【００２９】
そして、吊り寄せパネル(8)は肩紐(20)によって軽く吊り上げられるため、その弾性力と相俟って着用者の脇の贅肉及びバストの外側部分を軽く締め付けると共に吊り上げつつ中心方向に向けて軽く寄せつける。ここで、吊り寄せパネル(8)のバストの外側に沿う部分(折り返し縁(8e))は折り返された状態、即ち、堅い縫着縁とはなっていないので、段差を生じることなくバストの外側に沿って自然な丸みを演出することになり、アウター(1)に現れてこないし、前述のように吊り寄せパネル(8)に千鳥縫いされた吊り上げテープ(9)も協働して上記作用を強化する。
【００３０】
これに加えて、持ち上げパネル(10)は着用者の脇からバスト下方中央に至るバストの下方外側に位置し、そのバストの下方外側に沿う縁(折り返し縁(10e))も折り返された状態、吊り寄せパネル(8)同様、堅い縫着縁とはなっていないので、やはり段差を生じることなくバストの下方外側から垂れ下がりがちなバストを内側に寄せつつ弾性的に軽く持ち上げて、これに下方外側からの自然な丸みを演出することになる。
【００３１】
そして、アンダーバスト形成テープ(7)は、バストの直下において胴回り全周を軽く締め付けることになるので、そして特に前身側のアンダーバスト形成テープ(7a)部分のピースの重ね合わせ数が多いので肉厚となっていることと相俟って着用者がどのように動いたとしてもバストの下部が前身側のアンダーバスト形成テープ(7a)からはみ出ることがなく、自然な丸みを保った状態を維持させることができる。
【００３２】
この場合、本発明に係るブラジャー(2)は、従来のブラジャーのような一体となったカップでなく、取り外しが可能なカップをポケット(3p)に適宜使用すること、中央を縫着して左右に分割した前布(31)及びポケット布(33)を使用していること、更には吊り上げテープ(9)が縫着された吊り寄せパネル(8)や持ち上げパネル(10)の作用により、例えばＬＬ、Ｌ、Ｍ、Ｓというように区分わけした場合、各区分におけるあらゆるサイズのバストを１つのフロント部(3)で包み込んで丸く補整することになるため、需要者はバストサイズを気にすることなく着用することができるし、供給者は従来のようにバストサイズに合わせたものを多種類用意する必要がない。
【００３３】
実施例２は、前述のようにブラジャー付き下着(2)の場合で、実施例１の場合に加えて、後身頃側において、背面部(4)の内側にて背面部(4)の裾が接続されていない吸湿性布で形成された丈の長い背面内側パネル(11)が、及び、前身頃側において、アンダーバスト形成テープ(7)に接続され、且つ、吸湿性布で形成された腹部を覆う腹部被覆用パネル(12)が更に設けられている。このようにすることにより、インナー(2)の着用者の肌に触れる部分はすべて吸湿性布で形成されることになるので、肌触りに優れるだけでなく、高温多湿な夏場でも蒸れたりするようなことがない。また、丈の長い背面内側パネル(11)を設けず、背面部(4)の丈を長くしてその側縁(4b)を腹部被覆用パネル(12)の側縁(12b)に縫着してもよい。
勿論、繰り返しになるが、第１、２実施例において、軽量化のため吸湿性布に代えて弾性布を使用しても良い。
【００３４】
本発明のブラジャー(2)や下着(2)は単独で使用しても良いが、Ｔシャツやパジャマその他のアウター(1)と一体にして重ね着用とすることも可能であり、その場合は肩紐(20)の部分で両者が留め付けられ、他はフリーとなる。
【図面の簡単な説明】
【００３５】
【図１】本発明のインナーの着用状態における前面側からの斜視図である。
【図２】図１の背面方向からの斜視図である。
【図３】図１の前身頃側のピースの相互縫着関係を示す斜視図である。
【図４】図１の前身頃内面側の正面図である。
【図５】本発明のインナーの構成ピースの展開図である。
【符号の説明】
【００３６】
(1)    アウター
(2)    バストライン補整機能付きインナー
(3)    フロント部
(3c)   フロント下縁
(3f)   フロント下縁中央
(3n)   布部
(3p)   ポケット
(4)    背面部
(4b)   側縁
(4c)   下縁
(7)    アンダーバスト形成テープ
(8)    吊り寄せパネル
(8b)   側縁
(8c)   下縁
(8e)   折り返し縁
(8d)   脇刳り
(9)    吊り上げテープ
(10)   持ち上げパネル
(10c)  下縁
(10e)  折り返し縁
(11)   背面内側パネル
(12)   腹部被覆用パネル
【図１】
2011032610.tif 000003
【図２】
2011032610.tif 000004
【図３】
2011032610.tif 000005
【図４】
2011032610.tif 000006
【図５】
2011032610.tif 000007